(57)【要約】  無線装置、システム、およびパケットデータ通信用データ転送速度能力判定方法を記載する。無線装置は、ＲＦコンポーネントと、制御部と、通信を可能とする手段とを含む。ＲＦコンポーネントは、複数のパケットデータを第１のデータ転送速度能力と第１のデータ転送速度よりも高速である第２のデータ転送速度能力で通信するように構成される。制御部は、ＲＦコンポーネントに通信可能に接続され、制御部は、物理層データフィールド値、下り方向トラヒックチャネル・データフィールド値、および上り方向トラヒックチャネル・データフィールド値を監視するように構成される。物理層データフィールド値は、ＲＦコンポーネントからのパケットの物理的伝送に関するものである。下り方向トラヒックチャネル・データフィールド値は、下り方向チャネル通信に関し、上り方向トラヒックチャネル・データフィールド値は、上り方向チャネル通信に関するものである。物理層データフィールド値と、下り方向トラヒックチャネル・データフィールド値と、上り方向トラヒックチャネル・データフィールド値によって、通信が第２のデータ転送速度能力に対応するようサポートされていることが示される場合に、第２のデータ転送速度能力で通信を可能とする手段が発生する。【選択図】図１
2010529751.tif 000002
【特許請求の範囲】
【請求項１】
パケットデータを通信するためのデータ転送速度能力を得る無線装置であって、
複数のパケットデータを、第１のデータ転送速度能力と、第１のデータ転送速度より高速である第２のデータ転送速度能力とで通信するように構成されたＲＦコンポーネントと、
ＲＦコンポーネントに通信可能に接続され、前記ＲＦコンポーネントからのパケットの物理的伝送に関する物理層データフィールド値と、下り方向チャネル通信に関する下り方向トラヒックチャネル・データフィールド値と、上り方向チャネル通信に関する上り方向トラヒックチャネル・データフィールド値とを監視するように構成された制御部と、
前記物理層データフィールド値と、前記下り方向トラヒックチャネル・データフィールド値と、前記上り方向トラヒックチャネル・データフィールド値によって、通信が前記第２のデータ転送速度能力に対応するようサポートされていることが示される場合に、前記第２のデータ転送速度能力で通信を可能とする手段と、を含む無線装置。
【請求項２】
前記物理層データフィールド値、前記下り方向トラヒックチャネル・データフィールド値、および前記上り方向トラヒックチャネル・データフィールド値を記憶するように構成されたメモリをさらに含む請求項１の無線装置。
【請求項３】
前記下り方向トラヒックチャネル・データフィールドおよび前記上り方向トラヒックチャネル・データフィールドは、媒体アクセス制御（ＭＡＣ）層に関するものである請求項２の無線装置。
【請求項４】
前記第１のデータ転送速度能力は、ＥＶＤＯ  Ｒｅｖｉｓｉｏｎ  ０規格に準拠する請求項３の無線装置。
【請求項５】
前記第２のデータ転送速度能力は、ＥＶＤＯ  Ｒｅｖｉｓｉｏｎ  Ａ規格に準拠する請求項４の無線装置。
【請求項６】
前記無線装置は、音声通信をサポートするように構成された無線ハンドセットを含む請求項４の無線装置。
【請求項７】
前記無線装置は、コンピュータとインターフェースで接続可能に構成されるＰＣカードを含む請求項４の無線装置。
【請求項８】
パケットデータ通信に用いる改訂番号を表示する前記ＰＣカードに配置されたビジュアル・インジケータをさらに含む請求項６の無線装置。
【請求項９】
パケットデータを通信するために少なくとも２つの異なるデータ転送速度能力をサポートする無線通信システムであって、
第１のデータ転送速度能力で複数のパケットデータを通信するように構成された第１の基地局と、
前記パケットデータを、前記第１のデータ転送速度能力よりも高速である第２のデータ転送速度能力で通信するように構成された第２の基地局と、
前記パケットデータを前記第１の基地局および前記第２の基地局に通信するように構成された無線装置と、を含み、前記無線装置は、
前記第１のデータ転送速度能力および前記第２のデータ転送速度能力で前記パケットデータを通信するように構成されたＲＦコンポーネントと、
ＲＦコンポーネントに通信可能に接続され、前記ＲＦコンポーネントからのパケットの物理的伝送に関する物理層データフィールド値と、下り方向チャネル通信に関する下り方向トラヒックチャネル・データフィールド値と、上り方向チャネル通信に関する上り方向トラヒックチャネル・データフィールド値とを監視するように構成された制御部と、
前記物理層データフィールド値と、前記下り方向トラヒックチャネル・データフィールド値と、前記上り方向トラヒックチャネル・データフィールド値によって、通信が前記第２のデータ転送速度能力をサポートしていることが示される場合に、前記第２のデータ転送速度能力で通信を可能とする手段と、をさらに含む無線通信システム。
【請求項１０】
前記第１のデータ転送速度能力は、ＥＶＤＯ  Ｒｅｖｉｓｉｏｎ  ０規格に準拠する請求項９の無線システム。
【請求項１１】
前記第２のデータ転送速度能力は、ＥＶＤＯ  Ｒｅｖｉｓｉｏｎ  Ａ規格に準拠する請求項１０の無線システム。
【請求項１２】
前記無線装置は、音声通信をサポートするように構成された無線ハンドセットを含む請求項１０の無線システム。
【請求項１３】
前記無線装置は、コンピュータとインターフェースで接続可能に構成されるＰＣカードを含む請求項１０の無線システム。
【請求項１４】
パケットデータ通信に用いる改訂番号を表示する前記ＰＣカードに配置されたビジュアル・インジケータをさらに含む請求項１３の無線システム。
【請求項１５】
無線通信装置がネットワーク・システムに作動可能に接続された基地局と通信するためにデータ転送速度能力を得る方法であって、
ＲＦコンポーネントからのパケットの物理的伝送に関する物理層データフィールド値であり、第１のデータ転送速度能力と第１のデータ転送速度より高速である第２のデータ転送速度能力とにおける複数のパケットデータの通信を見分けるように構成された前記物理層データフィールド値を判定し、
下り方向チャネル通信に関する下り方向トラヒックチャネル・データフィールド値であり、前記第１のデータ転送速度能力と前記第２のデータ転送速度能力とを見分けるように構成された前記下り方向トラヒックチャネル・データフィールド値を判定し、
上り方向チャネル通信に関する上り方向トラヒックチャネル・データフィールド値であり、前記第１のデータ転送速度能力と前記第２のデータ転送速度能力とを見分けるように構成された前記上り方向トラヒックチャネル・データフィールド値を判定し、
前記物理層データフィールド値と、前記下り方向チャネル・データフィールド値と、前記上り方向チャネル・データフィールド値とによって、通信が前記第２のデータ転送速度能力に対応するようサポートされていることが示される場合に、前記第２のデータ転送速度能力で通信を可能とする方法。
【請求項１６】
前記物理層データフィールド値、前記下り方向トラヒックチャネル・データフィールド値、および前記上り方向トラヒックチャネル・データフィールド値の判定には、複数のローカル・サービス領域における前記データフィールド値のネゴーシエーションがさらに含まれる請求項１５の方法。
【請求項１７】
前記下り方向トラヒックチャネル・データフィールドは、媒体アクセス制御（ＭＡＣ）層に関するものである請求項１５の方法。
【請求項１８】
前記上り方向トラヒックチャネル・データフィールドは、媒体アクセス制御（ＭＡＣ）層に関するものである請求項１５の方法。
【請求項１９】
前記第１のデータ転送速度能力は、ＥＶＤＯ  Ｒｅｖｉｓｉｏｎ  ０規格に準拠する請求項１５の方法。
【請求項２０】
前記第２のデータ転送速度能力は、ＥＶＤＯ  Ｒｅｖｉｓｉｏｎ  Ａ規格に準拠する請求項１９の方法。
【発明の詳細な説明】
【技術分野】
【０００１】
本発明は、パケットデータ通信用データ転送速度能力の判定に関する。特に、本発明は、無線装置、無線ネットワーク・システム、および、パケットデータ通信用データ転送速度能力を判定する方法に関する。
【背景技術】
【０００２】
Ｅｖｏｌｕｔｉｏｎ  Ｄａｔａ  Ｏｐｔｉｍｉｚｅｄ（ＥＶＤＯ）データ規格を含む無線広帯域データ規格が複数存在する。ＥＶＤＯは、多くのＣＤＭＡ携帯電話サービスプロバイダが採用する無線広帯域データ規格であり、ＣＤＭＡ２０００ファミリ規格の一部として３ＧＰＰ２によって標準化されている。ＥＶＤＯの初期設計は、２Ｍｂｐｓ超の静止通信衛星による通信の下りリンク用に開発され、数字表示ＩＳ−８５６が与えられた。
【０００３】
ＧＳＭネットワークが採用するＥＤＧＥネットワークに比べ、ＥＶＤＯ規格は著しく高速であり、移動装置へのアクセスにおいて、Ｒｅｖ．０で２．４Ｍｂｐｓ、およびＲｅｖ．Ａで３．１Ｍｂｐｓまでの速度の無線インターフェースを提供する。ＨＳＤＰＡ、ＷｉＭＡＸ、およびその他のこうした無線ブロードバンド規格を含む他の競合規格がある。
【０００４】
ＥＶＤＯ  Ｒｅｖ．Ａは、その規格の最初の改訂版であるＥＶＤＯ  Ｒｅｖ．０の後継となりつつある。Ｒｅｖ．Ａにより、下り方向および上り方向の両方において、待ち時間を短縮し、データ転送速度を向上させる無線インターフェースの機能強化に伴う高速パケットの確立が提供される。２．４５Ｍｂｐｓから３．１Ｍｂｐｓまでの最大バースト下りリンク速度の増加に加えて、Ｒｅｖ．Ａは、最大上りリンクデータ速度が、１５３ｋｂｐｓから最大上りリンク・バースト速度１．８Ｍｂ毎秒まで著しく向上している。ＥＶＤＯ  Ｒｅｖ．Ａ規格からの進歩的発展には、ＥＶＤＯ  Ｒｅｖ．ＢおよびＲｅｖ．Ｃの規格が含まれる。これらの将来的な改訂により、より高速の下りリンクおよび上りリンクデータ速度等の機能がさらに提供される。
【０００５】
主要な通信事業者は、無線ブロードバンドの通信システムおよびアーキテクチャのアップグレードを継続し、２００７年には、いくつかの通信事業者が、「Ｒｅｖ．０」とも呼ばれるＲｅｖｉｓｉｏｎ０から、「Ｒｅｖ．Ａ」とも呼ばれるＲｅｖｉｓｉｏｎＡへ、ＥＶＤＯネットワークをアップグレードする計画を発表した。導入時の多くの場合と同様に、Ｒｅｖ．０からＲｅｖ．Ａへのアップグレードは、キャリア・ネットワーク・システム内においてＥＶＤＯ  Ｒｅｖ．０とＲｅｖ．Ａがある程度共存する段階的なプロセスとなることが予想される。異なる無線ネットワーク規格の共存が、局所的な場合や、より広範囲な地理的エリアに渡る場合もある。
【０００６】
Ｒｅｖ．０およびＲｅｖ．Ａの規格には、それぞれが多くのサブタイプを有する様々なプロトコルが含まれる。また、各プロトコルは、全てのアクセス端末（ＡＴ）およびアクセスノード（ＡＮ）がサポートしているデフォルトのサブタイプも有し、それはＨｉｇｈ  Ｒａｔｅ  Ｐａｃｋｅｔ  Ｄａｔａ（ＨＲＰＤ）規格に準拠している。ＨＲＰＤ規格は、改訂により、既存のプロトコルの新規サブタイプ、新規のプロトコルおよびアプリケーションが導入された。これらの新規プロトコル・サブタイプ、新規プロトコル、および新規アプリケーションを導入することにより、ＡＴの性能が強化される。
【０００７】
しかしながら、特定の無線ブロードバンド・サービス領域用の無線ブロードバンド通信規格の判定は、曖昧になりかねない。例えば、１×ＣＤＭＡ対応のハンドセットまたはＰＣカードが特定の基地局と関連付けられたＣＤＭＡ  Ｒｅｖｉｓｉｏｎを検知すると、Ｒｅｖｉｓｉｏｎの番号を判定するプロセスは、ＳｙｎｃメッセージにおけるＰ＿ＲＥＶ番号を調べることによる。しかしながら、従前のＣＤＭＡ改訂の規約とは異なり、ＳｙｎｃメッセージにおけるＥＶＤＯ  Ｒｅｖ．０規格およびＲｅｖ．Ａ規格の改訂番号は同じ、すなわち、両者の規格の改訂番号は共に１である。よって、無線ブロードバンド通信用のＲｅｖｉｓｉｏｎの番号の判定は曖昧である。
【０００８】
加えて、Ｓｙｎｃメッセージに対するＡＴの依存は、Ｒｅｖ．０に準拠するサービス領域とＲｅｖ．Ａに準拠するサービス領域との間を移動するＡＴによってさらに複雑化する。通信事業者によるＳｙｎｃメッセージにおけるそれぞれの最大Ｒｅｖおよび最小Ｒｅｖの設定方法から、この複雑化が認められる。ＥＶＤＯデバイスが、所与のネットワークにおいて新規Ｒｅｖ．ＡモードまたはＲｅｖ．０モードにおいて作動しているかどうかの判定は曖昧になりかねない。その理由は、ＡＴは、無線ネットワーク全域で、過去の複数回のネゴーシエーションにおいて交渉した複数の通信条件のうち、どの通信条件においても作動可能なためである。
【０００９】
そのため、Ｓｙｎｃメッセージおよびパケットデータ通信用のデータ転送速度能力を判定することに関連する曖昧性を克服することは有益であろう。加えて、特定のサービス領域におけるデータ転送速度能力をリアルタイムに表示することは、ユーザまたは加入者の助けとなるであろう。特に、ＡＴがＲｅｖ．０およびＲｅｖ．Ａのサービス領域の違いをＳｙｎｃメッセージに頼らずに判定することを可能とすることは有益であろう。
【発明の概要】
【００１０】
無線装置、システム、およびパケットデータ通信用のデータ転送速度能力を判定する方法を記載する。無線装置は、ＲＦコンポーネントと、制御部と、通信を可能とする手段とを含む。ＲＦコンポーネントは、複数のパケットデータを第１のデータ転送速度能力と第２のデータ転送速度能力で通信するように構成され、第２のデータ転送速度は、第１のデータ転送速度より高速である。制御部は、ＲＦコンポーネントに通信可能に接続され、制御部は、物理層データフィールド値、下り方向トラヒックチャネル・データフィールド値、および上り方向トラヒックチャネル・データフィールド値を監視するように構成される。物理層データフィールド値は、ＲＦコンポーネントからのパケットの物理的伝送と関連付けられる。下り方向トラヒックチャネル・データフィールド値は、下り方向チャネル通信と関連付けられ、上り方向トラヒックチャネル・データフィールド値は、上り方向チャネル通信と関連付けられる。物理層データフィールド値と、下り方向トラヒックチャネル・データフィールド値と、上り方向トラヒックチャネル・データフィールド値によって、通信が第２のデータ転送速度能力に対応するようサポートされていることが示される場合に、第２のデータ転送速度能力で通信を可能とする手段が発生する。
【００１１】
加えて、パケットデータを通信するための少なくとも２つの異なる最高データ転送速度能力をサポートする無線通信システムを記載する。無線通信システムは、第１の基地局と、第２の基地局と、無線装置とを含む。第１の基地局は、パケットデータを第１のデータ転送速度能力で通信するように構成され、第２の基地局は、パケットデータを第２のデータ転送速度能力で通信するように構成される。
【００１２】
さらに、無線通信装置がネットワーク・システムに作動可能に接続される基地局と通信するためにデータ転送速度能力を得る方法を記載する。この方法には、物理層データフィールド値を判定し、下り方向トラヒックチャネル・データフィールド値を判定し、上り方向トラヒックチャネル・データフィールド値を判定することが含まれる。その後、その方法は、物理層データフィールド値と、下り方向チャネル・データフィールド値と、上り方向チャネル・データフィールド値によって、通信が第２のデータ転送速度能力に対応するようサポートされていることが示される場合に、第２のデータ転送速度能力で通信を可能とする工程に進む。
【図面の簡単な説明】
【００１３】
【図１】図１は、無線ＰＣカードモデム等の例示的無線装置のブロック図を示す。
【図２】図２は、高速データ転送速度通信システムにおける例示的アクセスノードおよびアクセス端末を示す。
【図３】図３は、例示的無線ＰＣカードモデムを受ける例示的パーソナル・コンピュータを示す。
【図４】図４は、異なる無線データ転送速度能力で通信する複数の基地局を有するネットワーク・システムを示す。
【図５】図５は、無線装置および基地局の間で行われる通信用の例示的フローチャートを示す。
【発明を実施するための形態】
【００１４】
当業者であれば、以下の明細書が説明のためのものであり、限定するためのものでないことを認めるであろう。本開示の利益を有するそのような当業者には、請求した発明の主題の他の実施形態が容易に提示されるであろう。当業者は、以下に説明するシステムおよび無線装置が構成や詳細に関し、異なってもよいことを理解すべきである。加えて、当該方法は、本明細書に開示する例示的方法から逸脱しない範囲で、詳細、動作の順番、またはその他の変更に関して異なってもよい。
【００１５】
少なくとも２つの異なるデータ転送速度能力をサポートするネットワーク・システムにおけるＳｙｎｃメッセージおよびパケットデータ通信用のデータ転送速度能力の判定に関連する曖昧性を克服する無線装置、無線ネットワーク・システム、および方法を説明する。加えて、特定のサービス領域におけるデータ転送速度能力のリアルタイム表示についても説明する。
【００１６】
例示する実施形態において、ＰＣカード等の無線装置は、Ｓｙｎｃメッセージのみに依存せずにＥＶＤＯ  Ｒｅｖｉｓｏｎ  ０とＥＶＤＯ  Ｒｅｖｉｓｉｏｎ  Ａのサービス領域を区別可能である。しかしながら、例示する実施形態は、限定することを意図しておらず、当業者であれば、本明細書に記載した装置、システム、および方法が、ワイドエリアネットワークにおける基地局またはアクセスノードからのＳｙｎｃメッセージに依存する、ＥＶＤＯ  Ｒｅｖ．Ｂ、ＥＶＤＯ  Ｒｅｖ．Ｃ、および任意の他の規格等の、将来的な改訂に適用可能であることを理解すべきである。限定しない例として、他の無線ワイドエリアネットワークには、Ｗ−ＣＤＭＡネットワーク、ＵＭＴＳネットワーク、ＴＤ−ＳＣＤＭＡネットワーク、ＥＤＧＥネットワーク、ＷｉＭＡＸネットワークが含まれる。
【００１７】
図１を参照すると、無線ＰＣカードモデム等の例示する無線装置のブロック図が示されている。無線ＰＣカード１０は、コンピューティング装置と接続する。コンピューティング装置は、ノートブック・コンピュータ、デスクトップ・コンピュータ、携帯情報端末（ＰＤＡ）または、無線装置を受けるように構成される同様な他の任意の装置であってもよい。例示する実施形態では無線ＰＣカードモデムだが、本明細書に説明した装置、システム、および方法は、音声通信をサポートするように構成された無線電話器、携帯電話器、携帯情報端末、スマートフォーン、無線インターネット装置、シンクライアント、およびその他同様な装置等、他の無線装置に適用可能である。より一般的には、無線装置は、移動局またはアクセス端末と呼ばれることがある。
【００１８】
例示するＰＣカード１０は、周辺コンポーネント・マイクロチャネル相互接続アーキテクチャ（ＰＣＭＣＩＡ）規格に準拠したラップトップ・コンピュータまたはノートブック・コンピュータ用の周辺インターフェースの形状因子を持つ。例示する無線ＰＣカードモデム１０は、メモリ１４および入力／出力ハードウェア・インターフェース１６に接続された処理部１２を含む。電源（不図示）は、無線ＰＣカードモデム１０に電力を供給する。電源管理用集積回路（ＰＭＩＣ）１８も、処理部１２に通信可能に接続され、無線ＰＣカードモデム１０による電力利用を調整する。加えて、ＲＦコンポーネント２０は、例示する基地局２２と無線で通信するように構成される。電子デバイスとコンピューティング装置との間の物理的インターフェースが必要である。例示する実施形態において、ハードウェア・インターフェース１６は、無線ＰＣカードモデム１０を作動可能にＰＣ３０に接続することをサポートする。例示するＰＣ３０と無線ＰＣカードモデム１０との間のデータの通信は、例示するバス３２により可能となる。例示する電子デバイスは、無線ＰＣカードモデム１０であるが、オペレーティングシステム（ＯＳ）を有するコンピューティング装置と物理的に接続する手段を有するＰＣ電子デバイスであれば、任意のものを用いることができる。
【００１９】
無線ＰＣカードモデムは、ＲＦコンポーネント２０に接続されたアンテナ２４を介して無線周波数帯域で電磁エネルギーを送受信することで無線通信を行う。ＲＦ通信リンク２６は、ブロードバンド・データ通信を交換するために基地局２２と作成される。単一の基地局２２を描いているが、無線ＰＣカードモデム１０は、１または複数の基地局と通信可能であり、一般的に各基地局は、画定された地理的エリア内のパケットデータ通信を管理する役割を担っている。
【００２０】
例示するＰＣカード１０におけるＲＦコンポーネント２０は、第１のデータ転送速度能力および第２のデータ転送速度能力で複数のパケットデータを通信するように構成されており、第２のデータ転送速度が第１のデータ転送速度よりも高速である。例示する実施形態において、第１のデータ転送速度能力は、ＥＶＤＯ  Ｒｅｖｉｓｉｏｎ  ０規格を採用し、第２のデータ転送速度能力は、ＥＶＤＯ  Ｒｅｖｉｓｉｏｎ  Ａ規格を採用する。
【００２１】
ＰＣカード１０には、パケットデータ通信に用いた改訂番号を示すビジュアル・インジケータが配置される。第１のインジケータ３４は、Ｒｅｖｉｓｉｏｎ  ０規格に関し、第２のインジケータ３６は、Ｒｅｖｉｓｉｏｎ  Ａ規格に関し、第３のインジケータ３８は、充分な電力がＰＣカード１０に供給されているかどうかを示す。ネットワーク・システムに応じて、ＰＣカード１０は、データパケットを通信するための適用可能なデータ転送速度を判定するように構成される。例示するネットワーク・システムは、Ｒｅｖｉｓｉｏｎ  ０データスループットだけを提供するあるサービス領域を含んでもよく、他のサービス領域は、Ｒｅｖｉｓｉｏｎ  Ａデータスループットだけを提供してもよく、いくつかのサービス領域では、Ｒｅｖｉｓｉｏｎ  ＡおよびＲｅｖｉｓｉｏｎ  ０両方のデータスループットを提供してもよい。
【００２２】
例示するＰＣカードがいつＥＶＤＯ  Ｒｅｖｉｓｉｏｎ  Ａのサービス領域にあるかを認識しやすくするために、例示するＰＣカード１０に対する専用の色を使用できる。または、Ｒｅｖ．Ａのサービス領域を示すマルチカラーのＬＥＤを用いてもよい。例示する実施形態において、ＰＣカード１０は、上述したように、Ｒｅｖ．０モードまたはＲｅｖ．Ａモードのいずれで作動しているかを判定する。一例として、および限定しないために、色は、青でよく、下り方向チャネルおよび上り方向チャネルにおける帯域速度によってより速い速度で点滅してもよい。よって、Ｒｅｖ．Ａでは、例示するＰＣカードがネットワークに接続している場合、点滅速度は、Ｒｅｖ．０に対する点滅速度よりも高速であってもよい。加えて、例示するＬＥＤは、例示するＰＣカードがネットワークに接続されていないが電源が投入されている場合には、単色を発するように構成されてもよい。さらに、例示するＬＥＤは、ネットワーク接続が確立された場合、または、ＰＣカードがネットワークと活発にパケット通信していない休眠状態にある場合は、低速で点滅してもよい。また、例示するＬＥＤは、例示するＰＣカードがネットワークに接続されている場合、より高速で点滅するように構成されてもよい。
【００２３】
図２および図１を参照すると、高速データ転送（ＨＤＲ）通信システムにおける例示するアクセスノードおよびアクセス端末が示されている。また、無線装置１０は、アクセス端末（ＡＴ）５０または移動局と呼んでもよい。一例として、ＡＴは、Ｒｅｖ．０およびＲｅｖ．Ａに準拠するデータ専用モードにおけるＣＤＭＡ２０００  ＥＶＤＯ  ＰＣカードである。基地局２２は、アクセスノード（ＡＮ）５２と呼んでもよい。ＡＮは、加入者がネットワークにアクセスできるようにする、ネットワークにおけるポイントであり、ＡＮは、パケット交換データ・ネットワーク（一般的にはインターネット）とＡＴとの間のデータ接続を提供し、１または複数のサブネットをカバーする。当業者であれば、サブネットおよびサービス領域という用語を、全二重無線通信をサポートする地理的エリアの意味で使用できることを理解するであろう。
【００２４】
作動中、ＡＴ５０は、ＡＮ５２と無線通信を行っている。「下り方向」チャネル５４は、ＡＮ５２からＡＴ５０への通信を意味し、「上り方向」チャネル５６は、ＡＴ５０からＡＮ５２への伝送を意味する。下り方向チャネル５４は、Ｓｙｎｃメッセージを含む複数のチャネルを含んでもよい。
【００２５】
図２はＡＴ５０に関連する複数のレイヤも示す。複数のレイヤには、物理層５８および媒体アクセス制御（ＭＡＣ）層６０が含まれる。ＭＡＣ層の上部には、上位レイヤが位置づけられているが図示しない。ＭＡＣ層６０は、下り方向チャネル５４および上り方向チャネル５６に関連するサービスを含むサービスを上位レイヤに対して提供する。物理層５８は、ＭＡＣ層６０の下に位置づけられる。ＭＡＣ層６０は、物理層５８からの、あるサービスを要求する。これらのサービスは、ＡＮ５２とのパケットの物理的伝送に関する。加えて、ＭＡＣ層６０は、上位レイヤから１または複数のフローを受ける。フローとは、ある伝送要件のセットを有する、ユーザソースからのデータストリームであり、通常、ある特定のアプリケーションと関連する。一般的には、フローは、ウェブの閲覧、インターネット上での音声通信（ＶｏＩＰ）、テレビ電話、ファイル転送プロトコル（ＦＴＰ）、および、このようなその他のアプリケーション等の、特定のアプリケーションに対応する。
【００２６】
作動中、ＡＴ５０とＡＮ５２との間で通信されたデータパケットは、アクセスノード５２およびアクセス端末５０の両方によってサポートされるデータ転送速度として通信される。古いＥＶＤＯ  Ｒｅｖｉｓｉｏｎ  ０規格に関しては、デフォルトのプロトコル・サブタイプがあり、ＡＴ５０とＡＮ５２との間の通信用のプロトコル・サブタイプについてネゴーシエーションを行う必要はない。ＥＶＤＯ  Ｒｅｖｉｓｉｏｎ  ０より新しいＥＶＤＯ  Ｒｅｖ．Ａ規格は、様々な新しい特徴を導入しており、これらの新しい特徴は、つい最近の非デフォルトのサブタイププロトコルの形式で引き渡されている。これらの非デフォルトプロトコル・サブタイプは、ＡＴ５０とＡＮ５２との間のセッション・ネゴーシエーションの間に取り決められなければならない。Ａｄｖａｎｃｅｄ  Ｍｏｂｉｌｅ  Ｓｕｂｓｃｒｉｂｅｒ  Ｓｏｆｔｗａｒｅ（ＡＭＳＳ）は、ＨＤＲ−ＳＣＰプロトコル・サブタイプ不揮発性（ＮＶ）アイテムと呼ばれる単一のＮＶアイテムに、全てのデフォルト・サブタイプおよびネゴーシエーションしたサブタイプを記憶する。
【００２７】
少なくとも２つの異なる無線規格を有するネットワークにおける無線データ転送速度能力を判定するために、無線装置１０またはアクセス端末５０は、基地局が制御チャネルにおいて一斉同報しているオーバーヘッドメッセージを監視する。セッション・ネゴーシエーション中には、ＦＴＣ−ＭＡＣプロトコルタイプと関連づけられる下り方向トラヒックチャネル・データフィールドの値が存在する。加えて、ＲＴＣ−ＭＡＣプロトコルタイプと関連づけられる上り方向トラヒックチャネル・データフィールドの値がある。さらに、物理層プロトコルタイプと関連づけられる物理層データフィールドの値がある。
【００２８】
アクセス端末５０の制御部は、物理層データフィールド値、下り方向トラヒックチャネル・データフィールド値、および上り方向トラヒックチャネル・データフィールド値を監視するように構成される。例示する制御部は、メモリ１４と連動して作動する処理部１２であってもよく、メモリ１４は、物理層データフィールド値、下り方向トラヒックチャネル・データフィールド値、および上り方向トラヒックチャネル・データフィールド値を記憶するように構成される。または、例示する制御部は、ＲＦコンポーネント２０内に位置するＡＳＩＣの論理モジュールであってもよい。
【００２９】
第２のデータ転送速度能力、例えば、より高速なＥＶＤＯ  Ｒｅｖ．Ａデータ転送速度で通信を可能とする手段は、物理層データフィールド値、下り方向トラヒックチャネル・データフィールド値、および上り方向トラヒックチャネル・データフィールド値により、通信がより高速なデータ転送速度のためにサポートされていることを反映している場合に発生する。よって、Ｓｙｎｃメッセージにはほとんどあるいはまったく依存せずにパケット通信用の利用可能な最高のデータ転送速度を判定する。例示する実施形態において、通信を可能とする手段は、物理層、ＦＴＣ−ＭＡＣ、およびＲＴＣ−ＭＡＣ用のプロトコル・サブタイプを監視する決定を下す。
【００３０】
以下に例として示す表は、最近ネゴーシエーションしたプロトコル・サブタイプ値を記憶するＨＤＲ  ＳＣＰプロトコル・サブタイプにおけるプロトコルタイプのエントリを示す。データタイプは、２×２６バイトであり、２６個のプロトコルタイプ・エントリ用のネゴーシエーションしたプロトコル・サブタイプＩＤ値（０×００Ｘ）を含む。エントリの順番は、以下に示すように予め決められている。特に、表には、ＨＤＲ−ＳＣＰプロトコル・サブタイプＮＶアイテムにおける最初の５つのプロトコルタイプ用となる可能性のあるプロトコル・サブタイプ値を示す。現在利用可能な２６個のプロトコルタイプ・エントリのうち、Ｒｅｖ．Ａで導入された向上したデータスループットのためにネゴーシエーションされるプロトコル・サブタイプは、サブタイプ２の物理層プロトコルであり、エンハンストＦＴＣ−ＭＡＣプロトコル、およびサブタイプ３のＲＴＣ−ＭＡＣプロトコルは、物理サブタイプ２のプロトコルと関連する。サブタイプの値により、例示するＰＣカード１０は、当該ＰＣカードがＲｅｖ．Ａモードで作動可能かどうかを判定できるようになる。
【表１】
2010529751.tif 000003
【００３１】
図３を参照すると、例示する無線ＰＣカードモデムを受ける、例示的パーソナル・コンピュータが示してある。例示するパーソナル・コンピュータは、ノートブック・コンピュータ３０である。無線ＰＣカードモデム１０は、ノートブック・コンピュータ３０のＰＣカードスロット７２と接続する、入力／出力ハードウェア・インターフェース１６を含む。例示する無線ＰＣカードモデム１０は、ＰＣカードスロット７２に摺動可能に装着、および／またはＰＣカードスロット７２から取り外される。例示するＰＣカードモデム１０は、ノートブック・コンピュータ５０内に完全に入った状態ではないので、上述したように、ユーザは、ビジュアル・インジケータ素子を見ることができる。一例として、また限定しないために、ステータス・インジケータは、点滅および／または単色のままである少なくとも１つの色を有する発光ダイオード（ＬＥＤ）である。
【００３２】
他の実施形態においては、別のコンピュータ・インターフェースを用いて例示するコンピュータと通信してもよい。例えば、ＰＣカード・インターフェース７６を有するユニバーサルシリアルバス（ＵＳＢ）インターフェース７４は、ＰＣカード・ハードウェア・インターフェース１６およびノートブック・コンピュータ３０上のＵＳＢ接続に、作動可能に接続される。こうして、ＰＣカードモデム１６は、ＵＳＢケーブル７８を介してノートブック・コンピュータに物理的に接続される。パーソナル・コンピュータ３０のシステム要件には、マイクロソフト（Ｒ）社のＷｉｎｄｏｗｓ（Ｒ）２０００またはＸＰの作動、ＰＣ上の標準タイプＩＩのＰＣカードスロット、および／または１または複数のＵＳＢ接続が含まれてもよい。パーソナル・コンピュータには、無線ＰＣカードに関連するソフトウェアをロードしなければならないかもしれない。ソフトウェアは、ＣＤ−ＲＯＭに保存したコンピュータの命令として組み込まれてもよいし、コンピュータの命令を保存するように構成された、こうした他の媒体であってもよい。
【００３３】
図４を参照すると、異なる無線データ転送速度能力で通信するように構成される複数の基地局を有するネットワーク・システムが示されている。例示するネットワーク８０には、複数の基地局が含まれる。単なる例示を目的として、第１の基地局８２は、ＥＶＤＯ  Ｒｅｖｉｓｉｏｎ  ０規格に準拠する第１のデータ転送速度能力でパケットデータを通信するように構成される。第２の基地局８４は、より高速なＥＶＤＯ  Ｒｅｖｉｓｉｏｎ  Ａ規格に準拠する第２のデータ転送速度能力でパケットデータを通信するように構成される。全体のサービス領域は、各基地局がカバーするエリアを組み合わせて決定される。
【００３４】
上述した無線装置と同様の例示的無線装置も２台示す。無線装置のうちの１台は、少なくとも２つの異なる無線ブロードバンドデータ規格を用いるデータ通信をサポートするＰＣカードを含むノートブック・コンピュータ８６である。加えて、無線ハンドセット８８は、音声通信および少なくとも２つの異なる無線ブロードバンド・データ規格をサポートする。無線装置のそれぞれは、特定の場所においてサポートされるデータ転送速度能力、および両方の無線ブロードバンド・データ規格をサポートする、ある位置における「最適な」データ転送速度を判定するように構成される。従って、説明した無線装置、システム、および方法は、第１のデータ転送速度能力または第２のデータ転送速度能力のどちらかでパケットデータを通信するセルを有するネットワーク・システムに適用可能であり、同じ場所において第１のデータ転送速度能力および第２のデータ転送速度能力をサポートするネットワーク・システムにも適用可能である。ネットワーク・システムが少なくとも２つの異なるデータ転送速度能力をサポートする後者のケースでは、利用可能なネットワーク・リソースに基づいて最も高いスループットを提供する、採用すべき「最適な」無線ブロードバンド・データ規格を判定するために、無線装置、システム、および方法を使用できる。
【００３５】
図５を参照すると、電子デバイスとネットワークとの間で行われる通信の例示的フローチャートが示されている。この方法は、電子デバイスと計算装置との物理的インターフェースが行われるブロック１０２において開始される。一般的に、コンピューティング装置と物理的に接続する手段を有する電子デバイスであればいずれのものを用いてもよい。例示する実施形態のひとつにおいては、無線ＰＣカード１０は、ＰＣ３０のＰＣカードスロットに摺動可能に接続される。
【００３６】
その後、方法は、カードがデータサービス中であるかの判定を行うブロック１０４に進む。利用可能なデータサービスのタイプはネットワークによって異なる。ブロック１０６においてユーザインターフェースは、「接続した」または「休止した」状態のどちらかの情報を受ける。
【００３７】
その後、方法は、物理層プロトコルタイプ、下り方向トラヒックチャネル（ＦＴＣ）ＭＡＣプロトコルタイプ、および上り方向トラヒックチャネル（ＲＴＣ）ＭＡＣプロトコルタイプ用のネゴーシエーションされたプロトコル・サブタイプ値が集められるブロック１０８に進む。一般的には、物理層データフィールド値、下り方向トラヒックチャネル・データフィールド値、および上り方向トラヒックチャネル・データフィールド値を判定する。特に、物理層データフィールド値、下り方向トラヒックチャネル・データフィールド値、および上り方向トラヒックチャネル・データフィールド値の判定には、複数のローカル・サービス領域におけるデータフィールド値のネゴーシエーションを行うことがさらに含まれるので、本明細書に説明した方法は、カードがデータサービス中である間、繰り返し発生する。
【００３８】
判定分岐条件１１０において、データフィールド値が、例えばＲｅｖ．Ａ規格である、より高速な第２のデータ転送速度をサポートするかどうかの判定を行う。データフィールドのうちのひとつが第２のデータ転送速度能力をサポートしない場合、方法は、ブロック１１２に進み、第１のデータ転送速度能力を用いて通信する。パケットデータ通信が第１のデータ転送速度能力、例えばＲｅｖ．０規格を用いて行われているという表示をブロック１１４で提供してもよい。
【００３９】
物理層データフィールド値、下り方向チャネル・データフィールド値、および上り方向チャネル・データフィールド値が、より高速な第２のデータ転送速度をサポートするという判定が判定分岐条件１１０において下される場合、方法は、ブロック１１６に進み、第２のデータ転送速度規格、例えば、ＥＶＤＯ  Ｒｅｖ．Ａを用いての通信が可能となる。その後、方法は、パケットデータ通信が第２のデータ転送速度能力、例えばＲｅｖ．Ａ規格を用いて行われているという表示を提供するブロック１１８に進んでもよい。
【００４０】
上述した無線装置、システム、および方法は、Ｓｙｎｃメッセージおよびパケットデータ通信用データ転送速度能力の判定に関連する曖昧さを克服する。加えて、上述した無線装置および方法は、特定のサービス領域におけるデータ転送速度能力をリアルタイムに表示してユーザまたは加入者の助けとなる。さらに、無線装置、システム、および方法により、ＡＴがＳｙｎｃメッセージに依存することなくＥＶＤＯ  Ｒｅｖｉｓｉｏｎ  ０とＥＶＤＯ  Ｒｅｖｉｓｉｏｎ  Ａ規格の差を判定することが可能となる。
【００４１】
よって、上記は、例示的な実施形態の詳細な説明であり、特許請求の範囲はこれらの特定の実施形態または実施例に限定されないことを理解すべきである。そのため、様々な要素、詳細、全ての方法の実行、および利用は、上記と異なってもよく、まだ商業的に未だ実現可能でない技術を用いて拡張または実施されてもよく、それらもまた本開示の発明概念の範囲内にある。発明の範囲は以下の請求項およびその法的均等物によって判断される。
【図１】
2010529751.tif 000004
【図２】
2010529751.tif 000005
【図３】
2010529751.tif 000006
【図４】
2010529751.tif 000007
【図５】
2010529751.tif 000008
【国際調査報告】
2010529751.tif 000009
2010529751.tif 000010